(57)【要約】【課題】デッドスペースが生じないように基板ケースを回動可能に取り付けることができる遊技機を提供する。【解決手段】ブラケット部材２３０のブラケット側係合部２３１〜２３３を左側ベース部材２１０のベース側係合部２１１〜２１３に挿入してブラケット部材２３０を上方にスライド移動させることにより左側ベース部材２１０と係合された状態となり、その係合部を中心にブラケット部材２３０を左側ベース部材２１０に対して左右方向に回動させることにより、ブラケット部材２３０が左側ベース部材２１０によって下方への移動が規制された状態で取り付けられるように構成される。【選択図】図４
2020192390.tif 000002
【特許請求の範囲】
【請求項１】
本体部材と、遊技機に設けられた電気部品の作動を制御する制御基板と、前記制御基板を収容する基板ケースとを備える遊技機において、
前記本体部材に固定されるベース部材と、
前記ベース部材に取り付けられるブラケット部材とを有し、
前記制御基板を収容した前記基板ケースが前記ブラケット部材に取り付けられ、
前記ブラケット部材は、前記ブラケット部材のブラケット側係合部を前記ベース部材のベース側係合部に挿入して上方にスライド移動させることにより前記ベース部材と係合された状態となり、その係合部を中心に前記ブラケット部材を前記ベース部材に対して左右方向に回動させることにより、前記ブラケット部材が前記ベース部材によって下方への移動が規制された状態で取り付けられるように構成されたことを特徴とする遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、メダルを貯留しておき遊技の結果に応じてメダルを払い出すメダル払出装置と、スロットマシンに搭載された種々の装置に電源を供給する電源ユニットと、これらのユニット（装置）を収容する箱状の筐体（本体部材）と、筐体の前面開口部を開閉可能に取り付けられた前面扉とを備えて構成されている。また、スロットマシンは、リールを用いた遊技の進行に係る制御（例えば、リール駆動の制御、役決定の制御、遊技メダル等の遊技媒体の投入・払出の制御、役決定の確率等が異なる複数の遊技状態間での遊技状態の移行制御等）を行う主制御基板と、遊技状況に応じて遊技の興趣向上等を目的とする種々の演出（液晶表示装置による画像演出やスピーカ装置による音声演出等）の実行に係る制御を行う副制御基板とを備えており、これらの制御基板は、不正行為を防止するため、透明な基板ケース内に収容された状態で筐体内に設けられている。
【０００３】
このような遊技機では、制御基板に対して不正行為が行われていないかを確認するため、基板ケースを本体部材（筐体）に対して回動可能に取り付け、基板ケースを本体部材から取り外すことなく回動させることにより基板ケースおよび制御基板の裏面を確認可能に構成されたものがある（例えば、特許文献１を参照）。
【先行技術文献】
【特許文献】
【０００４】
【特許文献１】特開２０１４‐０２８１１７号公報
【発明の概要】
【発明が解決しようとする課題】
【０００５】
このような遊技機では、上記のように本体部材内に多くのユニット（装置）が設けられるため、本体部材内において無駄なスペースが生じないように基板ケースも取り付けられることが求められる。
【０００６】
本発明は、このような課題に鑑みなされたものであり、デッドスペースが生じないように基板ケースを回動可能に取り付けることができる遊技機を提供することを目的とする。
【課題を解決するための手段】
【０００７】
このような目的達成のため、本発明に係る遊技機は、本体部材（例えば、実施形態における筐体５）と、遊技機に設けられた電気部品の作動を制御する制御基板（例えば、実施形態における主制御基板１１０）と、前記制御基板を収容する基板ケース（例えば、実施形態における基板ケース１２０）とを備える。その上で、前記本体部材に固定されるベース部材（例えば、実施形態における左側ベース部材２１０）と、前記ベース部材に取り付けられるブラケット部材とを有し、前記制御基板を収容した前記基板ケースが前記ブラケット部材に取り付けられる。そして、前記ブラケット部材は、前記ブラケット部材のブラケット側係合部（例えば、実施形態におけるブラケット側係合部２３１〜２３３）を前記ベース部材のベース側係合部に挿入して上方にスライド移動させることにより前記ベース部材と係合された状態となり、その係合部を中心に前記ブラケット部材を前記ベース部材に対して左右方向に回動させることにより、前記ブラケット部材が前記ベース部材によって下方への移動が規制された状態で取り付けられるように構成される。
【発明の効果】
【０００８】
上記構成の本発明に係る遊技機によれば、デッドスペースが生じないように基板ケースを回動可能に取り付けることができる。
【図面の簡単な説明】
【０００９】
【図１】本発明に係る遊技機の一例であるスロットマシンの正面図である。
【図２】上記スロットマシンの内部構成を示す正面図である。
【図３】上記スロットマシンの主制御装置を構成する基板ケースの分解斜視図である。
【図４】上記主制御装置を構成する基板ケース取付機構の分解斜視図である。
【図５】上記基板ケース取付機構を構成する左側ベース部材を示す図であり、（ａ）は正面図、（ｂ）は右側面図である。
【図６】上記左側ベース部材を示す図であり、（ａ）は左上方から見た斜視図、（ｂ）は右下方から見た斜視図である。
【図７】上記基板ケース取付機構を構成するネジカバーを示す図であり、（ａ）は左上方から見た斜視図、（ｂ）は右上方から見た斜視図、（ｃ）は右下方から見た斜視図である。
【図８】上記基板ケース取付機構を構成する右側ベース部材を示す図であり、（ａ）は左上方から見た斜視図、（ｂ）は正面図、（ｃ）は右下方から見た斜視図である。
【図９】上記基板ケース取付機構を構成するブラケット部材を示す図であり、（ａ）は正面図、（ｂ）は左側面図である。
【図１０】上記ブラケット部材を示す図であり、（ａ）は左上方から見た斜視図、（ｂ）は右下方から見た斜視図である。
【図１１】上記基板ケース取付機構を構成するケースかしめ部材を示す図であり、（ａ）は左上方から見た斜視図、（ｂ）は正面図、（ｃ）は右下方から見た斜視図である。
【図１２】上記主制御装置を構成する設定変更装置を示す図であり、（ａ）は左上方から見た斜視図、（ｂ）は正面図、（ｃ）は左側面図である。
【図１３】上記主制御装置の取り付け手順を説明する図であり、筐体内に左側および右側ベース部材を取り付けた状態を示す正面図である。
【図１４】上記主制御装置の取り付け手順を説明する図であり、左側ベース部材にネジカバーを取り付けた状態を示す正面図である。
【図１５】上記主制御装置の取り付け手順を説明する図であり、左側ベース部材の係合部にブラケット部材の係合部を挿入する前の状態を示す右下方から見た斜視図である。
【図１６】上記主制御装置の取り付け手順を説明する図であり、左側ベース部材の係合部にブラケット部材の係合部を挿入した状態を示す右下方から見た斜視図である。
【図１７】上記主制御装置の取り付け手順を説明する図であり、左側ベース部材の係合部にブラケット部材の係合部を挿入してブラケット部材を上方にスライド移動させた状態を示す右下方から見た斜視図である。
【図１８】上記主制御装置の取り付け手順を説明する図であり、左側ベース部材に対してブラケット部材を後方に回動させた状態を示す正面図である。
【図１９】上記主制御装置の取り付け手順を説明する図であり、ブラケット部材にケースかしめ部材を装着した状態を示す正面図である。
【図２０】上記主制御装置の取り付け手順を説明する図であり、ブラケット部材に基板ケースを装着した状態を示す正面図である。
【図２１】上記主制御装置の取り付け手順を説明する図であり、ブラケット部材に設定変更装置を装着した状態を示す正面図である。
【図２２】上記主制御装置の取り付け手順を説明する図であり、ブラケット部材にケーブルカバーを装着した状態を示す正面図である。
【図２３】上記主制御装置の取り付け手順を説明する図であり、基板ケース内の主制制御基板にケーブルハーネスを接続した状態および基板ケースにコネクタカバーを装着した状態を示す正面図である。
【図２４】上記左側ベース部材の変更態様を示す図であり、（ａ）は正面図、（ｂ）は右側面図である。
【図２５】上記変更態様の左側ベース部材を示す図であり、（ａ）は左上方から見た斜視図、（ｂ）は右下方から見た斜視図である。
【図２６】上記コネクタカバーの変更態様を示す図であり、（ａ）は正面図、（ｂ）は左側面図である。
【図２７】上記変更態様のコネクタカバーを示す図であり、（ａ）は左上方から見た斜視図、（ｂ）は右下方から見た斜視図である。
【図２８】上記変更態様のコネクタカバーを取り付ける様子を示す右下方から見た斜視図である。
【図２９】上記変更態様の左側ベース部材およびコネクタカバーにより構成したケース取付機構を示す正面図である。
【図３０】上記変更態様の左側ベース部材およびコネクタカバーにより構成したケース取付機構を示す左上方から見た斜視図である。
【図３１】上記変更態様の左側ベース部材およびコネクタカバーにより構成したケース取付機構の筐体への取り付け状態を示す左上方から見た正面図である。
【図３２】上記変更態様の左側ベース部材およびコネクタカバーにより構成したケース取付機構の回動状態を示す左上方から見た斜視図である。
【図３３】上記設定変更装置を筐体の左側板に配設した状態を示す図であり、（ａ）は正面図、（ｂ）は右上方から見た斜視図である。
【図３４】上記設定変更装置を筐体の背板に配設した状態を示す図であり、（ａ）は正面図、（ｂ）は右上方から見た斜視図である。
【発明を実施するための形態】
【００１０】
以下、本発明の実施形態について図面を参照して説明する。まず、本発明に係る遊技機の一例であるスロットマシンの基本的な構成について、図１および図２を参照して説明する。
【００１１】
＜スロットマシンの外部構成＞
本実施形態に係るスロットマシン１は、図１および図２に示すように、前方に開口した箱状の筐体５（本体部材）と、筐体５の前面開口部に開閉可能に取り付けられた前扉２とを備えている。前扉２は、正面視において、筐体５の左側板５ａの前部に配設されたヒンジ機構６ａ〜６ｃを用いて筐体５の前面開口部を横開き開閉可能に取り付けられている。
【００１２】
前扉２の前面には、図１に示すように、上部から順に、上パネルアセンブリ１０、中パネルアセンブリ２０、下パネルアセンブリ３０および受け皿アセンブリ４０が取り付けられている。上パネルアセンブリ１０の中央部には、その裏面側に配された液晶表示装置１１の表示画面１１ａが前方を臨むように配置されており、その周辺部には、第１演出ランプ１２、第２演出ランプ１３ａ，１３ｂ、第３演出ランプ１４ａ，１４ｂが配置されている。また、表示画面１１ａの下方左右には、一対の上部スピーカ１５ａ，１５ｂが配置されている。
【００１３】
中パネルアセンブリ２０の中央部には、筐体５内に横並びに配設された３個のリール３ａ，３ｂ，３ｃの表面が臨む表示窓Ｗが設けられており、この表示窓Ｗの下方には、遊技メダル（遊技媒体）を投入するためのメダル投入口２１、クレジットされた範囲内で１枚の遊技メダルをベットするための１‐ＢＥＴスイッチ２２、最大ベット許容数（例えば３枚）の遊技メダルを一度にベットするためのＭＡＸ‐ＢＥＴスイッチ２３、ベットされた遊技メダル、および／または、クレジットされた遊技メダルを払い出すための清算スイッチ２４、全リール３ａ〜３ｃを回転開始させる際に操作されるスタートレバー（スタートスイッチ）２５、各リール３ａ，３ｂ，３ｃの回転を個別に停止させるための３個のストップスイッチ２６ａ，２６ｂ，２６ｃ（図中左側のストップスイッチ２６ａは左リール３ａに対応し、中央のストップスイッチ２６ｂは中リール３ｂに対応し、右側のストップスイッチ２６ｃは右リール３ｃに対応する）、およびメダル投入口２１から投入されて滞留した遊技メダルを返却するためのリジェクトスイッチ２７等が設けられている。
【００１４】
メダル投入口２１の内部は、投入された遊技メダルが有効に受け入れられる場合に当該遊技メダルが通過する受入通路（後述のホッパー５１に通ずる）と、投入された遊技メダルが受け入れられない場合に当該遊技メダルが通過する返却通路（後述の遊技メダル払出口４１に通ずる）とに分岐しており、その分岐部にはブロッカが設けられている。このブロッカは、投入された遊技メダルが有効に受け入れられる期間においては、メダル投入口２１に投入された遊技メダルを受入通路に導き、それ以外の期間においては、メダル投入口２１に投入された遊技メダルを返却通路に導くように、受入通路と返却通路を選択的に、一方を開状態に他方を閉状態にできるように構成されている。
【００１５】
また、メダル投入口２１の内部には、遊技メダルを検知するための３つの投入メダルセンサが設けられている。１つ目の投入メダルセンサは、遊技メダルがメダル投入口２１に投入されたことを検出するものであり、投入された遊技メダルが流下する通路上において、上記ブロッカが設置された位置よりも上流側の位置に設置されている。２つ目の投入メダルセンサは、メダル投入口２１に投入された遊技メダルが受入通路に導かれ有効に受け入れられたことを検出するものであり、上記ブロッカが設置された位置よりも下流側（後述のホッパー５１寄り）の位置に配置されている。３つ目の投入メダルセンサは、メダル投入口２１に投入された遊技メダルが、受入通路と返却通路との分岐部を通過したことを検出するものであり、当該分岐部近傍（ブロッカが設置された位置よりも少し２つ目の投入メダルセンサ寄りの位置）に配置されている。
【００１６】
１つ目および２つ目の投入メダルセンサが共に遊技メダルを検出した場合は、遊技メダルがメダル投入口２１に投入され、かつ投入された遊技メダルが有効に受け入れられたことを意味する。一方、１つ目の投入メダルセンサは遊技メダルを検出したが、２つ目の投入メダルセンサは遊技メダルを検出しない場合は、遊技メダルがメダル投入口２１に投入されたが、投入された遊技メダルが有効に受け入れられずに返却されたことを意味する。また、３つの投入メダルセンサが所定の順序（１つ目，２つ目，３つ目の順序）とは異なる順序で遊技メダルの通過を検出した場合や一部の投入メダルセンサで遊技メダルの通過が検出されない場合は、遊技メダルが逆流するなどの異常通過が起きたことを意味する。
【００１７】
表示窓Ｗは、３個のリール３ａ〜３ｃが全て停止した際に、リール毎に３個の図柄、合計９個の図柄が遊技者から視認可能に表示されるように構成されている。リール３ａ〜３ｃの各中段の図柄表示領域を水平（横一直線）に結ぶ入賞ライン２９は、規定数の遊技メダルがベットされることにより有効化される入賞ラインであり、有効化された入賞ライン２９上に停止表示された図柄組合せにより遊技役の成立の有無が判定されるように構成されている。以下、有効化された入賞ライン２９のことを、適宜「有効ライン２９」と称する。
【００１８】
また、スロットマシン１には、ＬＥＤランプ等により構成される各種の表示用ランプが配置されている。本実施形態では、表示用ランプとして、ＭＡＸ‐ＢＥＴスイッチ表示ランプ４６ａ、ＢＥＴ数表示ランプ４６ｂ、投入可能表示（ＩＮＳＥＲＴ）ランプ４６ｃ、遊技開始表示（ＳＴＡＲＴ）ランプ４６ｄ、再遊技表示（ＲＥＰＬＡＹ）ランプ４６ｅ、状態表示（ＧＡＭＥ  ＯＶＥＲ）ランプ４６ｆ、貯留枚数表示（ＣＲＥＤＩＴ）ランプ４６ｈ、および払出数表示（ＰＡＹＯＵＴ）ランプ４６ｊを備えている。これらの表示用ランプは、後述の主制御基板１１０により制御されるように構成されている。
【００１９】
ＭＡＸ‐ＢＥＴスイッチ表示ランプ４６ａは、遊技メダルをベットすることができる状況下で点灯されるものであり、ＭＡＸ‐ＢＥＴスイッチ２３の内部に配置され、点灯時にはＭＡＸ‐ＢＥＴスイッチ２３を部分的または全体的に光らせるようになっている。その他の表示用ランプは、中パネルアセンブリ２０において表示窓Ｗの側部または下部に配置されている。
【００２０】
ＢＥＴ数表示ランプ４６ｂは、ベットされた遊技メダルの枚数を表示するもので、ベットされた遊技メダルが、１枚の場合に点灯される１‐ＢＥＴ表示ランプ４６ｂＣと、２枚の場合に点灯される２‐ＢＥＴ表示ランプ４６ｂＢと、３枚の場合に点灯される３‐ＢＥＴ表示ランプ４６ｂＡとから構成されている。投入可能表示ランプ４６ｃは、遊技メダルを投入することができる状況下で点灯されるものであり、遊技開始表示ランプ４６ｄは、スタートレバー２５を操作して遊技を開始させることができる状況下で点灯されるものである。再遊技表示ランプ４６ｅは、任意の遊技において再遊技役（遊技メダルの払出しはないが、遊技者が保有する遊技メダルの数を減らすことなく（新たに遊技媒体を投入することなく）次の遊技を行うことが許可される遊技役）が成立し、自動ベット処理（遊技者が保有する遊技メダルの数を減らすことなく、前回の遊技におけるベット数と同数の遊技メダルがベットされた状態を設定する処理）により遊技メダルが自動的にベットされた際に点灯されるものである。
【００２１】
状態表示ランプ４６ｆは、例えば、ＡＲＴモード（ＡＲＴモードについては、例えば特願２０１６‐０７０８５８を参照）が設定された場合に点灯され、終了した場合に消灯されるものである。貯留枚数表示ランプ４６ｈは、貯留（クレジット）された遊技メダルの枚数を７セグメント表示するものであり、払出数表示ランプ４６ｊは、小役（成立時に所定枚数の遊技メダルが払い出されるように構成された遊技役）が成立した際に払い出される遊技メダルの枚数を７セグメント表示するものである。
【００２２】
また、払出数表示ランプ４６ｊは、スロットマシン１に何らかの異常（エラー）が発生した際に、そのエラーの種類を示す文字（アルファベット）を表示するようにも構成されている。さらに、払出数表示ランプ４６ｊは、ストップスイッチ２６ａ〜２６ｃの操作順（押し順）を示すナビ番号を表示する機能も有している。
【００２３】
下パネルアセンブリ３０の中央部には、透明な下パネルカバー３１が取り付けられており、その左右両端部には、飾りランプ３２ａ，３２ｂが配置されている。なお、下パネルカバー３１の裏面側には、所定の図柄が設けられた半透明の下パネルベースおよび下パネル照明灯（いずれも図示せず）が取り付けられており、この下パネル照明灯を点灯させることにより、下パネルベースの図柄を後面側から照明するように構成されている。
【００２４】
受け皿アセンブリ４０には、遊技メダルを払い出すための遊技メダル払出口４１が開設されているとともに、遊技メダル払出口４１に臨むようにして遊技メダルを貯留するための遊技メダル貯留皿４２が設けられている。遊技メダル貯留皿４２の左部には、灰皿４３が設けられている。遊技メダル払出口４１の左右には、受け皿アセンブリ４０の背面側に配置された一対の下部スピーカの前面に対向して、多数の小孔からなるスピーカ口４５ａ，４５ｂが形成されている。
【００２５】
＜スロットマシンの内部構成＞
図２に示すように、筐体５内の下部（底板５ｄ上）には、遊技の結果、所定の入賞態様が構成された場合に獲得される遊技メダルを払い出すメダル払出装置５０が設けられている。メダル払出装置５０は、遊技メダルを検出するためのメダル検出部（図示せず）と、投入されて有効に受け入れられた遊技メダルを物理的に収容する（貯留する）ホッパー５１とを有している。メダル払出装置５０の近傍位置には、ホッパー５１から溢れた遊技メダルを収納するための補助収納庫５３が設けられるとともに、この補助収納庫５３が満杯状態（補助収納庫５３から遊技メダルが溢れる可能性のある状態）であるか否かを検出する満杯検出部（図示せず）が設けられている。また、メダル払出装置５０の左方位置には、スロットマシン１に搭載された種々の装置に電力を供給する電源装置５５が設けられている。
【００２６】
筐体５内の中央部には、左右の側板５ａ，５ｂに架け渡されるように中板５ｆが設けられており、この中板５ｆ上にリールユニット６０が設けられている。リールユニット６０は、上述の３個のリール３ａ，３ｂ，３ｃと、これらのリール３ａ〜３ｃをそれぞれ回転させる３個のステッピングモータ（図示せず）とを有して構成されている。リール３ａ〜３ｃはそれぞれ、透光性を有する部材により構成されており、その外周面には、複数種類の図柄が表示された、透光性を有するリールテープが貼り付けられている。また、リール３ａ〜３ｃの内面側にはそれぞれバックランプ（図示せず）が配設されており、これらのバックランプを点灯させることにより、表示窓Ｗ内に臨む各リール３ａ，３ｂ，３ｃの領域を内面側から全体的に照明したり、各リール３ａ，３ｂ，３ｃ上に停止表示された所定の図柄組合せ（例えば、有効ライン２９上や、有効ライン２９上とは異なる入賞ライン上に並んだ遊技役の対応図柄等）を目立たせるように各リール３ａ，３ｂ，３ｃの一部領域のみを照明したりするように構成されている。
【００２７】
筐体５内の上部（背板５ｅの上部内面）には、遊技の進行に係る主たる制御（リール３ａ〜３ｃの駆動制御や役決定処理等を含む）を行う主制御装置１００が設けられている。なお、遊技状況に応じて遊技の興趣向上等を目的とする種々の演出制御（液晶表示装置１１による演出画像表示制御や上部スピーカ１５ａ，１５ｂ等のスピーカからの音声発生制御等）を行う副制御装置（図示せず）は前扉２の後面に設けられている。主制御装置１００と副制御装置はケーブルハーネスを用いて電気通信可能に接続されており、これら装置間の情報伝達は、主制御装置１００から副制御装置への一方向のみ行うことが可能となっている。
【００２８】
＜遊技を行うための基本操作＞
スロットマシン１で遊技を行うには、まず実際にメダル投入口２１に遊技メダルを投入することによりベットするか、１‐ＢＥＴスイッチ２２またはＭＡＸ‐ＢＥＴスイッチ２３の何れかを操作してクレジットの範囲内で規定数の遊技メダルをベットすることにより、複数の入賞ラインのうち入賞ライン２９を有効化する。本実施形態では、３枚の遊技メダルがベットされると入賞ライン２９が有効化される構成であるが、規定数を適宜変更したり、遊技メダルのベット数に応じて有効化される入賞ラインを変更するようにしてもよい。
【００２９】
次に、遊技者がスタートレバー２５を操作すると、ベット数が確定する（ベットされた遊技メダルが遊技の用に供される）とともに、役決定処理が行われ、その後、最小遊技時間（１つの遊技において全リールが回転開始してから、次の遊技において全リールを回転開始させるまでに最低限確保しなければならないとされる時間（例えば、４.１秒間）の
こと）が経過したことを確認した後、各リール３ａ〜３ｃが回転を開始し、リール３ａ〜３ｃの外周表面に表示された複数種類の図柄が表示窓Ｗ内を上下に（通常、上から下に）移動表示される。そして、リール３ａ〜３ｃの回転が所定の速度に達して定速回転となると各ストップスイッチ２６ａ〜２６ｃが有効化され（ストップスイッチの操作が有効に受付け可能とされ）、遊技者が左ストップスイッチ２６ａを操作すると左リール３ａの回転が停止し、中ストップスイッチ２６ｂを操作すると中リール３ｂの回転が停止し、右ストップスイッチ２６ｃを操作すると右リール３ｃの回転が停止するように構成されている。  
【００３０】
ここで、有効ライン２９上に停止表示された図柄組合せが予め定めた入賞態様（遊技メダルを獲得することができる遊技役の対応図柄）となっている場合には、各入賞態様に対応した枚数の遊技メダルがメダル払出装置５０により払い出されるか、またはクレジットとして加算される。
【００３１】
＜主制御装置の構成＞
次に、本実施形態に係る主制御装置１００の構成について図３〜図２３を参照して説明する。なお、以下の説明では、図３等において各矢印で示す方向をそれぞれ、上下方向、前後方向、左右方向として説明する。
【００３２】
主制御装置１００は、図３に示すように、主制御基板１１０と、主制御基板１１０を収容する基板ケース１２０とを有して構成されている。主制御基板１１０は、遊技に関する各種の演算処理を行うＣＰＵ、制御プログラム等を記憶した読出し専用の記憶装置であるＲＯＭ、および情報の書込みおよび読出しが可能な記憶装置であるＲＡＭを備えた制御チップ１１１と、複数の電気コネクタ１１２，１１３と、これらが実装されるプリント基板１１５とを有し、ＲＯＭに記憶された制御プログラムに従って各駆動回路等が動作することにより、スロットマシン１における遊技の進行に係る制御が行われるように構成されている。また、主制御基板１１０には、遊技者にとっての有利度を定めるスロットマシン１の設定値（遊技役の当選確率等）を７セグメント表示する表示部１１６がプリント基板１１５上に実装されている。
【００３３】
基板ケース１２０は、ケース本体１２１と、ケース蓋１３１とを有し、ケース本体１２１およびケース蓋１３１を結合させて形成されるケース内部に主制御基板１１０を収納可能に構成される。ケース本体１２１は、透明な樹脂材料を用いて前方に開口した略矩形箱状に形成され、上下の壁部にそれぞれ複数の結合溝１２２が形成されている。この結合溝１２２は、前方に開口する挿入溝部と、その挿入溝部の後部から右方に延びる係止溝部とから構成されるＬ字状の溝になっている。ケース蓋１３１は、透明な樹脂材料を用いて後方に開口した略矩形箱状に形成され、上下の壁部内面にはそれぞれ上記係合溝１２２に対応する位置に複数の係合突起（図示せず）が形成されている。この係合突起をケース本体１２１の係合溝１２２の挿入溝部に前方から挿入し、ケース蓋１３１をケース本体１２１に対して右方にスライド移動させて係合突起を係合溝１２２の係止溝部に挿入させることにより、ケース本体１２１に対するケース蓋１３１の前後、上下および右方への移動が規制され、ケース本体１２１およびケース蓋１３１が結合されるように構成されている。
【００３４】
ケース本体１２１の右部には、本体側結合部１２３と、封印カバー１４１が取り付けられる第１本体側封印部１２４とが形成されている。本体側結合部１２３内には、係止爪を有する蓋かしめ部材１２８が装着されるようになっている。第１本体側封印部１２４の右側面には、右方に突出した２つのケース取付突起１２９が形成されている。ケース本体１２１の左部には、後述するケースかしめ部材２４０と係合するケース取付部１２５が形成されている。ケース本体１２１の下部には、第２本体側封印部１２６が形成されている。
【００３５】
ケース蓋１３１の右部には、上記のようにケース本体１２１およびケース蓋１３１が結合されたときに、ケース本体１２１の本体側結合部１２３と結合される蓋側結合部１３３と、ケース本体１２１の第１本体側封印部１２４と結合される第１蓋側封印部１３４とが形成されている。本体側結合部１２３および蓋側結合部１３３が結合されると、本体側結合部１２３内に装着された蓋かしめ部材１２８の係止爪が蓋側結合部１３３内の係止溝に挿入され、これによりケース本体１２１に対するケース蓋１３１の左方（ケース蓋１３１を取り外す方向）へのスライド移動が規制され、ケース蓋１３１をケース本体１２１から取り外すことができないように固定される構成となっている。また、第１本体側封印部１２４および第１蓋側封印部１３４に跨って封印シール１４２が貼付され、その封印シール１４２を覆うように第１本体側封印部１２４および第１蓋側封印部１３４に封印カバー１４１が右方からスライド移動されて取り付けられるように構成されている。封印カバー１４１には、第１本体側封印部１２４および第１蓋側封印部１３４に取り付けられた後に、カッター部材が装着されてカッター部材の切断部が封印カバー１４１の内部に配置されるようになっている。そのため、封印カバー１４１を左方にスライド移動させて取り外すときには、このカッター部材の切断部により封印シール１４２が切断されるようになっている。
【００３６】
ケース蓋１３１の左部には、上記のようにケース本体１２１およびケース蓋１３１が結合されたときに、ケース本体１２１のケース取付部１２５を内部に収容して覆うカバー部１３５が形成されている。また、ケース蓋１３１の下部には、ケース本体１２１の第２本体側封印部１２６と結合される第２蓋側封印部１３６とが形成されている。第２本体側封印部１２６および第２蓋側封印部１３６が結合された状態において、レーザー装置等により第２本体側封印部１２６および第２蓋側封印部１３６に跨って印字され、基板ケース１２０が封印されるようになっている。
【００３７】
ケース蓋１３１の前面には、ケース内部に収容した主制御基板１１０の電気コネクタ１１２を前方に露出させるための前後に貫通したコネクタ露出部１３７が形成されている。このコネクタ露出部１３７を介して主制御基板１１０の電気コネクタ１１２にケーブルハーネスを接続することができるようになっている。ケース蓋１３１には、このコネクタ露出部１３７とケーブルハーネスとの接続部を前方から覆うコネクタカバー１４５が取り付けられるようになっている。ケース蓋１３１の前面には逆コ字溝状のかしめ装着部１３９（図２０も参照）が形成され、このかしめ装着部１３９に右方からカバーかしめ部材１３８をスライド移動させて装着可能になっている。カバーかしめ部材１３８は、かしめ装着部１３９に装着される略矩形状の基部と、この基部から前方に突出する円筒形状の係止部と、係止部の外周面に形成された２つの係止爪とを有した構成となっている。コネクタカバー１４５がケース蓋１３１に取り付けられると、かしめ装着部１３９に装着されたカバーかしめ部材１３８がコネクタカバー１４５の内部に配置され、そのカバーかしめ部材１３８の係止爪がコネクタカバー１４５内の係止溝に挿入されるようになっている。そのため、コネクタカバー１４５を破壊してカバーかしめ部材１３８との係止状態を解除しない限り、コネクタカバー１４５をケース蓋１３１から取り外すことができないように固定される構成となっている。
【００３８】
このように主制御基板１１０をケース内部に収容した基板ケース１２０は、基板ケース取付機構２００を介して筐体５内の上部（背板５ｅの上部内面）に取り付けられる。基板ケース取付機構２００は、図２および図４に示すように、背板５ｅの左側上部に取付ネジを用いて固定される左側ベース部材２１０と、背板５ｅの右側上部に取付ネジを用いて固定される右側ベース部材２２０と、左側ベース部材２１０に前後方向に回動可能に取り付けられるブラケット部材２３０とを有して構成される。
【００３９】
左側ベース部材２１０は、図５および図６に示すように、上下方向に延びる矩形状に形成され、その前面に前方および右方に開口した凹形状のベース側係合部２１１，２１２，２１３が上下方向に並んで形成されている。上ベース側係合部２１１および中ベース側係合部２１２の内部にはそれぞれ、前後方向に貫通したネジ挿通孔２１１ａ，２１２ａが形成されており、これらのネジ挿通孔２１１ａ，２１２ａにそれぞれ前方から挿入される取付ネジにより左側ベース部材２１０が筐体５の背板５ｅに固定されるようになっている。
【００４０】
３つのベース側係合部２１１〜２１３内にはそれぞれ、上方に延びる軸挿入孔２１１ｂ，２１２ｂ，２１３ｂが形成されている（図６（ｂ）を参照）。また、ベース側係合部２１１〜２１３の右側開口部にはそれぞれ、前方に延びるブラケット支持壁部２１１ｃ，２１２ｃ，２１３ｃが形成されている。上ブラケット支持壁部２１１ｃおよび下ブラケット支持壁部２１３ｃにはそれぞれ、上面前端部に下方に傾斜したテーパ面２１４ａ，２１４ａが形成され、右側面前端部に左方に傾斜したテーパ面２１４ｂ，２１４ｂが形成されている。上ベース側係合部２１１の右側開口部には、ネジ挿通孔２１１ａの右側位置において、上下２つの突起部２１６が形成されている。これら突起部２１６，２１６は、当該右側開口部から工具等を差し込んでネジ挿通孔２１１ａに挿入された取付ネジにアクセスすることを防止するためのものである。
【００４１】
左側ベース部材２１０には、左側面に上下２つの位置決め突起２１７が形成され、後面に１つの位置決め突起２１８が形成されている。これら位置決め突起２１７，２１７，２１８は、左側ベース部材２１０を筐体５に取り付けるときに、筐体５の左側板５ａおよび背板５ｅに形成された位置決め孔にそれぞれ挿入することにより、左側ベース部材２１０の取付位置を決定し、取り付け作業を容易にするためのものである。
【００４２】
中ベース側係合部２１２には、ネジカバー２１５が前方から挿入可能になっている（図４を参照）。ネジカバー２１５は、図７に示すように、中ベース側係合部２１２の形状に対応した形状に形成され、ネジカバー２１５が中ベース側係合部２１２内に挿入されると、ネジカバー２１５により、ネジ挿通孔２１２ａに挿入された取付ネジの頭部、および中ベース側係合部２１２の内面全体が覆われるようになっている。ネジカバー２１５は、中ベース側係合部２１２に挿入されたときに、軸挿入孔２１２ｂと連通するように形成された軸挿通孔２１５ｂと、ブラケット支持壁部２１２ｃを覆うカバー側支持壁部２１５ｃとを有している。カバー側支持壁部２１５ｃには、上面前端部に下方に傾斜したテーパ面２１９ａが形成され、右側面前端部に左方に傾斜したテーパ面２１９ｂが形成されている。
【００４３】
右側ベース部材２２０は、図８に示すように、上下方向に延びる矩形状に形成され、前後方向に貫通形成された上下２つのネジ挿通孔２２１を有している。右側ベース部材２２０は、これらのネジ挿通孔２２１にそれぞれ前方から挿入される取付ネジにより筐体５の背板５ｅに固定されるようになっている。また、右側ベース部材２２０には、上下のネジ挿通孔２２１の間の位置に、ブラケット部材２３０に取り付けられた後述するナイラッチ（登録商標）の先端部が挿入されて係止する係止孔２２２が形成されている。右側ベース部材２２０の右側面には、右方に延びる延出部２２３が形成されており、この延出部２２３の先端部に位置決め突起２２３ａが形成されている。また、右側ベース部材２２０の後面にも位置決め突起（図示せず）が形成されている。これらの位置決め突起は、右側ベース部材２２０を筐体５に取り付けるときに、筐体５の右側板５ｂおよび背板５ｅに形成された位置決め孔にそれぞれ挿入することにより、右側ベース部材２２０の取付位置を決定し、取り付け作業を容易にするためのものである。
【００４４】
ブラケット部材２３０は、図９および図１０に示すように、透明な樹脂材料を用いて前方に開口した略矩形箱状に形成され、その内部空間に基板ケース２０が装着されて基板ケース２０を支持するように構成されている（図４も参照）。ブラケット部材２３０の左側壁の外面には、３つのブラケット側係合部２３１，２３２，２３３が上下方向に並んで形成されている。ブラケット側係合部２３１〜２３３はそれぞれ、ブラケット部材２３０の左側壁から左方に延びる基部２３１ａ，２３２ａ，２３３ａと、基部２３１ａ，２３２ａ，２３３ａの先端部から上方に延びる円柱状の回動軸２３１ｂ，２３２ｂ，２３３ｂとを有して構成されている。これらのブラケット側係合部２３１〜２３３は、左側ベース部材２１０のベース側係合部２１１〜２１３にそれぞれ挿入可能であり、回動軸２３１ｂ〜２３３ｂが軸挿入孔２１１ｂ〜２１３ｂにそれぞれ挿入可能に構成されている。回動軸２３１ｂ〜２３３ｂを軸挿入孔２１１ｂ〜２１３ｂにそれぞれ挿入すると、ブラケット部材２３０は回動軸２３１ｂ〜２３３ｂを中心に左側ベース部材２１０に対して回動可能に係合された状態となり、ブラケット部材２３０を左右方向に所定位置まで回動させると、ブラケット側係合部２３１〜２３３の基部２３１ａ〜２３３ａの下面が左側ベース部材２１０のブラケット支持壁部２１１ｃ〜２１３ｃの上面に当接してブラケット部材２３０が下方へ移動しないように規制されるようになっている。
【００４５】
ブラケット部材２３０内の左側壁に隣接する位置には、ケースかしめ部材２４０（図４を参照）が装着される２つのかしめ装着部２３５が上下に並んで設けられている。かしめ装着部２３５は、右方側に開口した形状になっており、この開口部からケースかしめ部材２４０が挿入されて装着されるようになっている。また、かしめ装着部２３５は、ブラケット部材２３０の左側壁に形成された開口部２３５ａを介して左方側にも開口した形状になっており、かしめ装着部２３５に装着されたケースかしめ部材２４０の先端部（左端部）がブラケット部材２３０の左側壁から左方に突出した状態になるようになっている（図１９を参照）。ケースかしめ部材２４０は、図１１に示すように、左右方向に延びる矩形状の基部２４１と、この基部２４１の前面右部から前方に突出する円筒形状の係止部２４２とを有し、係止部２４２の外周面に２つの係止爪２４２ａが形成された構成となっている。
【００４６】
図９および図１０に示すように、ブラケット部材２３０の上壁左部にはケース係止爪２３４が設けられている。ブラケット部材２３０内の左側壁上部に隣接する位置には、ナイラッチ（登録商標）が取り付けられるナイラッチ取付部２３７が設けられている。ブラケット部材２３０の後面には、ナイラッチ取付部２３７を上下に挟んだ位置にそれぞれ、後方に延びる円柱状のガイド突起２３８，２３８が形成されている（図１０（ｂ）を参照）。ブラケット部材２３０内のナイラッチ取付部２３７の左方位置には、左方に開口したケース取付孔２３９，２３９が上下に並んで形成されている。これらケース取付孔２３９，２３９には、基板ケース１２０（ケース本体１２１）のケース取付突起１２９，１２９が左方から挿入可能になっている。
【００４７】
ブラケット部材２３０の下壁左部は、当該下壁右部よりも上方に位置するように段状に形成されており、この段部においてケーブル受容部２３６を形成している（図２３も参照）。ケーブル受容部２３６には、ケーブルハーネスを係止するケーブル係止具２６１（図２３を参照）が取り付けられる係止具固定部２３６ａが設けられている。
【００４８】
ブラケット部材２３０には、図２および図４に示すように、基板ケース１２０が装着されるとともに、設定変更装置２５０が取り付けられるようになっている。具体的には、設定変更装置２５０は、ブラケット部材２３０内の右下部に取り付けられるようになっている。また、ブラケット部材２３０には、この設定変更装置２５０から基板ケース１２０内の主制御基板１１０に延びて接続されるケーブルハーネスを覆うケーブルカバー２５５が取り付けられるようになっている。ブラケット部材２３０内には逆コ字溝状のかしめ装着部２５８（図２０を参照）が形成され、このかしめ装着部２５８に右方からカバーかしめ部材２５６をスライド移動させて装着可能になっている。カバーかしめ部材２５６は、上述のカバーかしめ部材１３８と同様の構成となっている。ケーブルカバー２５５がブラケット部材２３０に取り付けられると、かしめ装着部２５８に装着されたカバーかしめ部材２５６がケーブルカバー２５５の内部に配置され、そのカバーかしめ部材２５６の係止爪がケーブルカバー２５５内の係止溝に挿入されるようになっている。そのため、ケーブルカバー２５５を破壊してカバーかしめ部材２５６との係止状態を解除しない限り、ケーブルカバー２５５をブラケット部材２３０から取り外すことができないように固定される構成となっている。
【００４９】
設定変更装置２５０は、遊技者にとっての有利度を定めるスロットマシン１の設定値（遊技役の当選確率等）を変更するときに操作される装置であり、図１２に示すように、設定変更キーシリンダ２５１と、設定変更スイッチ２５２と、これらキーシリンダ２５１およびスイッチ２５２を覆うように取り付けられた開閉扉２５３とを有して構成される。設定変更装置２５０は、設定変更キーシリンダ２５１に設定変更キー（図示せず）を差し込んで右回り（時計方向）に約９０度回動操作された状態で、筐体５内の下部に設けられた電源装置５５の電源スイッチがＯＮ操作されると、設定変更モードを起動する。そして、設定変更スイッチ２５２を押圧操作する毎に１〜６の６段階の上記設定値を切り替え、設定値を主制御基板１１０上に設けられた表示部１１６に表示する。そして、前扉２の前面に設けられたスタートレバー２５が操作されると上記設定値を確定し、設定変更キーを元の位置に戻すと、設定変更モードを終了して通常モードに移行する。また、主制御基板１１０は、通常モードの状態で、設定変更キーシリンダ２５１に差し込んだ設定変更キーを右回り（時計方向）に約９０度回動操作されると、設定確認モードを起動し、現在の設定値を主制御基板１１０上の表示部１１６に表示する。そして、設定変更キーを元の位置に戻すと、設定変更モードを終了して通常モードに移行するようになっている。本実施形態では、上記のように設定値を表示する表示部１１６が主制御基板１１０上に設けられているため、前扉２の前面に設けられた貯留枚数表示ランプ４６ｈもしくは払出数表示ランプ４６ｊを用いて設定値の表示を行っていない。
【００５０】
設定変更スイッチ２５２は、設定変更モードのときは設定値の切り替えを行うためのスイッチとして機能するが、通常状態のときはスロットマシン１で発生する各種エラー状態（ホッパーエンプティ等）を解除するリセット処理を行うためのスイッチとして機能する。すなわち、主制御基板１１０は、通常状態でのエラー発生中に設定変更スイッチ２５２が操作されると、エラー要因が排除されている場合にはエラー状態を解除する。また、本実施形態では、設定変更スイッチ２５２が各種エラー状態の解除を行うリセットスイッチとしての機能を担っているが、設定変更スイッチ２５２とは別の手段を設けてもよい。例えば、前扉２の開放を行うためのドア開放キーシリンダとドア開放キー（いずれも図示せず）を利用して、ドア開放キーをドア開放キーシリンダに対して前扉２の開放方向とは逆の方向に回動させることで発生する入力信号を用いてエラー状態の解除を行うことも考えられる。
【００５１】
このように構成される主制御装置１００を、筐体５の背板５ｅの内面上部に取り付ける手順について、図１３〜図２３を用いて説明する。まず始めに、図１３に示すように、左側ベース部材２１０および右側ベース部材２２０を背板５ｅに取り付ける。左側ベース部材２１０は、位置決め突起２１７，２１８（図５を参照）を筐体５の左側板５ａおよび背板５ｅに形成された位置決め孔に挿入することにより位置決めされる。そして、上下のネジ挿通孔２１１ａ，２１２ａにそれぞれ取付ネジが前方から挿入され、それらの取付ネジにより左側ベース部材２１０が背板５ｅに固定される。このとき、左側ベース部材２１０の上面が筐体５の天板５ｃの下面に当接するように取り付けられる。右側ベース部材２２０は、位置決め突起２２３ａ（図８を参照）等を筐体５の右側板５ｂおよび背板５ｅに形成された位置決め孔に挿入することにより位置決めされる。そして、上下のネジ挿通孔２２１にそれぞれ取付ネジが前方から挿入され、それらの取付ネジにより右側ベース部材２２０が背板５ｅに固定される。
【００５２】
次に、図１４に示すように、左側ベース部材２１０の中ベース側係合部２１２内にネジカバー２１５を前方から挿入して取り付ける。ネジカバー２１５が中ベース側係合部２１２内に取り付けられると、ネジ挿通孔２１２ａに挿入された取付ネジの頭部がネジカバー２１５により覆われた状態となる。
【００５３】
そして、図１５および図１６に示すように、ブラケット部材２３０を筐体５の左側板５ａと略平行となる状態にして、３つのブラケット側係合部２３１〜２３３をそれぞれ、左側ベース部材２１０のベース側係合部２１１〜２１３内に挿入する。上記のように中ベース側係合部２１２内にはネジカバー２１５が取り付けられているため、中ブラケット側係合部２３２は当該ネジカバー２１５内に挿入される。そして、図１７に示すように、ブラケット部材２３０を上方にスライド移動させて、ブラケット側係合部２３１〜２３３の回動軸２３１ｂ〜２３３ｂをそれぞれベース側係合部２１１〜２１３の軸挿入孔２１１ｂ〜２１３ｂに挿入させる。このとき、ブラケット部材２３０は回動軸２３１ｂ〜２３３ｂを中心に左側ベース部材２１０に対して回動可能に係合された状態となる。
【００５４】
そして、当該回動軸２３１ｂ〜２３３ｂを中心に、ブラケット部材２３０の後面が筐体５の背板５ｅに近づく方向（後方）にブラケット部材２３０を回動させ、図１８に示すように、ブラケット部材２３０を図１５に示す状態から後方に略９０度（ブラケット部材２３０の後面が筐体５の背板５ｅに近接する位置まで）回動させる。このようにブラケット部材２３０を回動させると、ブラケット側係合部２３１〜２３３の基部２３１ａ〜２３３ａの下面が、ベース側係合部２１１〜２１３のブラケット支持壁部２１１ｃ〜２１３ｃの上面と当接してブラケット部材２３０が下方に移動しないように支持される（中ブラケット側係合部２３３の下面はネジカバー２１５のカバー側支持壁部２１５ｃの上面に当接する）。すなわち、ブラケット支持壁部２１１ｃ〜２１３ｃ（カバー側支持壁部２１５ｃ）によりブラケット部材２３０が下動することが規制される。またこのとき、ブラケット部材２３０後面のガイド突起２３８，２３８が右側ベース部材２２０のネジ挿通孔２２１，２２１の前端部内に挿入されてブラケット部材２３０の上下左右の位置が調整される。そして、ブラケット部材２３０のナイラッチ取付部２３７に取り付けられたナイラッチ（登録商標）によりブラケット部材２３０の右部が右側ベース部材２２０に係止され、ブラケット部材２３０が左右のベース部材２１０，２２０に取り付けられる。このとき、ブラケット部材２３０の上面が筐体５の天板５ｃの下面と近接する状態で取り付けられる。
【００５５】
次に、図１９に示すように、ブラケット部材２３０のかしめ装着部２３５，２３５にそれぞれ右方からケースかしめ部材２４０を挿入して装着する。なお、本実施形態では、下側のかしめ装着部２３５には、上述のケースかしめ部材２４０において係止部２４２（係止爪２４２ａ）を有していない構成のケースかしめ部材２４０′（ダミーのケースかしめ部材）を装着している。かしめ装着部２３５，２３５にケースかしめ部材２４０，２４０′を装着すると、ケースかしめ部材２４０，２４０′の先端部（左端部）がブラケット部材２３０の左側壁から左方に突出した状態となり、ケースかしめ部材２４０，２４０′の先端部が、左側ベース部材２１０のネジ挿通孔２１１ａ，２１２ａに挿入された取付ネジの頭部を覆って隠すようになっている。なお、ネジ挿通孔２１２ａに挿入された取付ネジの頭部は、上記のようにネジカバー２１５によって既に覆われた状態になっているが、さらにその前方側をケースかしめ部材２４０′の先端部が覆うようになっている。
【００５６】
ケースかしめ部材２４０，２４０′の先端部（左端部）がブラケット部材２３０の左側壁から左方に突出した状態となっているため、ブラケット部材２３０を筐体５の左側板５ａと略平行となる状態（図１７に示す状態）まで回動させても、ケースかしめ部材２４０，２４０′の下面が、左側ベース部材２１０のベース側係合部２１１，２１２の内面に当接してブラケット部材２３０が支持される（ケースかしめ部材２４０′の下面はネジカバー２１５の内面に当接する）。すなわち、ケースかしめ部材２４０，２４０′によってブラケット部材２３０が落下することが規制される。
【００５７】
ケースかしめ部材２４０，２４０′をブラケット部材２３０に装着した後に、図２０に示すように、主制御基板１１０をケース内部に収容した基板ケース１２０をブラケット部材２３０に取り付ける。基板ケース１２０の取り付けは、基板ケース１２０の右側部に設けられたケース取付突起１２９，１２９（図３を参照）を、ブラケット部材２３０のケース取付孔２３９，２３９（図１９を参照）に挿入し、それから基板ケース１２０の左部をブラケット部材２３０内に挿着する。すなわち、基板ケース１２０は、ブラケット部材２３０に対して基板ケース１２０の左側部を係合させ、その次に右側部を係合させることによりブラケット部材２３０に取り付けられる。このように基板ケース１２０をブラケット部材２３０に取り付けると、かしめ装着部２３５に装着したケースかしめ部材２４０の係止爪２４２ａが基板ケース１２０のカバー部１３５の内部に配置され、係止爪２４２ａが基板ケース１２０のケース取付部１２５（図３を参照）に係止される。そのため、カバー部１３５およびケース取付部１２５を破壊してケースかしめ部材２４０との係止状態を解除しない限り、基板ケース１２０をブラケット部材２３０から取り外すことができないように固定される。また、基板ケース１２０は、ブラケット部材２３０のケース係止爪２３４により係止される。
【００５８】
次に、図２１に示すように、設定変更装置２５０を、ブラケット部材２３０内の右下部（ナイラッチ取付部２３７の下方位置）に取り付ける。設定変更装置２５０の取り付けは、設定変更装置２５０の上面に形成された取付突起２５６（図１２を参照）をブラケット部材２３０に係合させ、それから設定変更装置２５０に設けられたナイラッチ（登録商標）２５７を用いて設定変更変更装置２５０がブラケット部材２３０に固定される。次に、設定変更装置２５０から延びるケーブルハーネスＫ１（図２３を参照）を、基板ケース１２０内の主制御基板１１０に実装された所定の電気コネクタに接続する。そして、図２２に示すように、ブラケット部材２３０にカバーかしめ部材２５６（図４を参照）を装着し、当該ケーブルハーネスＫ１を覆うようにケーブルカバー２５５をブラケット部材２３０に取り付ける。このとき、ブラケット部材２３０に装着されたカバーかしめ部材２５６の係止爪がケーブルカバー２５５の係止溝に挿入され、これによりケーブルカバー２５５がブラケット部材２３０から取り外すことができないように固定される。
【００５９】
そして、図２３に示すように、基板ケース１２０内に収容された主制御基板１１０の複数の電気コネクタ１１２，１１３（図３を参照）にそれぞれケーブルハーネスＫ２，Ｋ３を接続する。そして、基板ケース１２０（ケース蓋１３１）にカバーかしめ部材１３８（図３を参照）を装着し、電気コネクタ１１２とケーブルハーネスＫ２の接続部（コネクタ露出部１３７）を覆うようにコネクタカバー１４５を基板ケース１２０に取り付ける。このとき、基板ケース１２０（ケース蓋１３１）に装着されたカバーかしめ部材１３８がコネクタカバー１４５の内部に配置され、そのカバーかしめ部材１３８の係止爪がコネクタカバー１４５内の係止溝に挿入される。そのため、コネクタカバー１４５を破壊してカバーかしめ部材１３８との係止状態を解除しない限り、コネクタカバー１４５を基板ケース１２０から取り外すことができないように固定される。主制御基板１１０に接続されたケーブルハーネスＫ２，Ｋ３は、ブラケット部材２３０の係止部固定部２３６ａに設けられたケーブル係止具２６１や筐体５の左側板５ａに設けられたケーブル係止具２６１により係止保持される。
【００６０】
このような構成の基板ケース取付機構２００によれば、筐体５（背板５ｅ）に取付ネジにより固定された左側ベース部材２１０に対して、ブラケット部材２３０が前後方向に回動可能に取り付けられている。そのため、基板ケース１２０をブラケット部材２３０から取り外すことなく、ブラケット部材２３０を左側ベース部材２１０に対して回動させることにより、基板ケース１２０およびそのケース内部に収容された主制御基板１１０の背面に不正行為等が行われていないかを確認することができる。また、ブラケット部材２３０にはケーブル受容部２３６が形成されており、そのケーブル受容部２３６内のケーブル係止具２６１によりケーブルハーネスＫ３等が係止されている。主制御基板１１０は、前扉２の後面に設けられたドア中継端子基板（スタートレバー２５、ストップスイッチ２６ａ〜２６ｃ、各種の表示用ランプ等を管理する基板）や副制御基板とケーブルハーネスを用いて接続されているため、これらのケーブルハーネスの引き回しが前扉２のヒンジ側に集中している。そのため、従来は、これらのケーブルハーネスが邪魔となりブラケット部材を大きく回動させることが難しかった。しかしながら、上記構成の基板ケース取付機構２００によれば、ブラケット部材２３０にケーブル受容部２３６が設けられているため、ブラケット部材２３０を回動させるときに、当該ケーブルハーネスをケーブル受容部２３６内に受容することができ、これによりブラケット部材２３０を筐体５の左側板５ａに近接する位置まで（９０度近く）大きく回動させることができる。
【００６１】
ブラケット部材２３０は、３つのブラケット側係合部２３１〜２３３をそれぞれ、左側ベース部材２１０のベース側係合部２１１〜２１３内に挿入して上方にスライド移動させ、ブラケット側係合部２３１〜２３３の回動軸２３１ｂ〜２３３ｂをそれぞれベース側係合部２１１〜２１３の軸挿入孔２１１ｂ〜２１３ｂに挿入させて係合させる。そして、当該回動軸２３１ｂ〜２３３ｂを中心に、ブラケット部材２３０の後面が筐体５の背板５ｅに近づく方向（後方）に略９０度回動させることにより、ブラケット部材２３０が左側ベース部材２１０によって下方への移動が規制された状態で取り付けられるようになっている。従来のようにブラケット部材を上から下に向けて引っ掛けるタイプの軸取付構造では、軸の長さ分、筐体の天板とブラケット部材との間にデッドスペースが形成されるという課題があった。しかしながら、上記構成によれば、ブラケット部材２３０の上面を筐体５の天板５ｃの下面に近接させた状態で取り付けることができる。そのため、天板５ｃとブラケット部材２３０との間にデッドスペースが生じることなく、ブラケット部材２３０および基板ケース１２０を筐体５内に配設することができる。
【００６２】
ブラケット部材２３０に装着されたケースかしめ部材２４０，２４０′の先端部（左端部）がブラケット部材２３０の左側壁から左方に突出した状態となり、そのケースかしめ部材２４０，２４０′の先端部が、左側ベース部材２１０のネジ挿通孔２１１ａ，２１２ａに挿入された取付ネジの頭部を覆って隠すようになっている。そのため、左側ベース部材２１０を筐体５に固定する取付ネジへのアクセスを規制することができ、左側ベース部材２１０およびブラケット部材２３０と一緒に基板ケース１２０（主制御基板１１０）を筐体５から不正に取り外すような行為を防止することができる。
【００６３】
基板ケース１２０は、ブラケット部材２３０に対して基板ケース１２０の左側部を係合させ、その次に右側部を係合させることによりブラケット部材２３０に取り付けられるようになっている。そのため、基板ケース１２０をブラケット部材２３０に対して着脱させるときには、右開きの前扉２を大きく開放させないと基板ケース１２０の着脱作業を行い難くなる。従って、基板ケース１２０を不正に着脱させる行為を防止することができる。
【００６４】
設定変更装置２５０は、基板ケース１２０とともにブラケット部材２３０に取り付けられている。そのため、設定変更装置２５０を基板ケース１２０内の主制御基板１１０の近くに配置することができ、主制御基板１１０と設定変更装置２５０とを接続するケーブルハーネスＫ１の取り回しが容易となる。また、設定変更装置２５０は、ブラケット部材２３０内の右下部に取り付けられている。そのため、スロットマシン１の設定値を変更する際には、右開きの前扉２を少し開放させるだけで、設定変更装置２５０を操作して設定値の変更作業を行うことができる。
【００６５】
次に、上記実施形態の変更態様について説明する。上述の左側ベース部材２１０およびコネクタカバー１４５を、図２４〜図２７に示す左側ベース部材３１０およびコネクタカバー３４５のように変更してもよい。なお、上述の左側ベース部材２１０およびコネクタカバー１４５と同じ構成の部分には上記実施形態と同じ符番を付して構成説明は省略する。左側ベース部材３１０の前面には、図２４および図２５に示すように、上下のネジ挿通孔２１１ａ，２１２ａの左方位置にそれぞれ、左右方向に延びる溝部３１１，３１２が形成されている。
【００６６】
コネクタカバー３４５は、図２６および図２７に示すように、上述のコネクタカバー１４５よりも左方に延びた形状に形成され、その左端部には、下方に延びるネジ被覆部３４５ａ，３４５ｂが上下に２つ形成されている。コネクタカバー３４５が基板ケース１２０（ケース蓋１３１）に取り付けられると、ケース蓋１３１のかしめ装着部１３９に装着されたカバーかしめ部材１３８がコネクタカバー３４５の内部に配置され、そのカバーかしめ部材１３８の係止爪がコネクタカバー３４５内の係止溝に挿入されるようになっている。そのため、コネクタカバー３４５を破壊してカバーかしめ部材１３８との係止状態を解除しない限り、コネクタカバー３４５を基板ケース１２０から取り外すことができないように固定される構成となっている（図２８を参照）。
【００６７】
基板ケース１２０に取り付けられたコネクタカバー３４５のネジ被覆部３４５ａ，３４５ｂはそれぞれ、図２９および図３０に示すように、左側ベース部材３１０のネジ挿通孔２１１ａ，２１２ａに挿入された取付ネジの頭部を覆って隠すようになっている。なお、ネジ挿通孔２１２ａに挿入された取付ネジの頭部は、上記のようにネジカバー２１５によって既に覆われた状態になっているが、さらにその前方側をコネクタカバー３４５のネジ被覆部３４５ｂが覆うようになっている。
【００６８】
このようにコネクタカバー３４５が取り付けられた場合であっても、図３１および図３２に示すように、ブラケット部材２３０は左側ベース部材３１０に対して前後方向に回動可能であり、この回動を可能にするため、左側ベース部材３１０に溝部３１１，３１２が形成されている。ブラケット部材２３０を筐体５の左側板５ａに近づく位置まで回動させたときに、コネクタカバー３４５のネジ被覆部３４５ａ，３４５ｂが左側ベース部材３１０の溝部３１１，３１２内に嵌入するようになっており、これによりネジ被覆部３４５ａ，３４５ｂが左側ベース部材３１０に干渉（衝突）してブラケット部材２３０の回動を妨げないようになっている（図３２を参照）。
【００６９】
このような構成の左側ベース部材３１０およびコネクタカバー３４５によれば、コネクタカバー３４５のネジ被覆部３４５ａ，３４５ｂが、左側ベース部材３１０のネジ挿通孔２１１ａ，２１２ａに挿入された取付ネジの頭部を覆って隠すようになっている。そのため、左側ベース部材３１０を筐体５に固定する取付ネジへのアクセスを規制することができ、左側ベース部材３１０およびブラケット部材２３０と一緒に基板ケース１２０（主制御基板１１０）を筐体５から不正に取り外すような行為を防止することができる。また、左側ベース部材３１０に溝部３１１，３１２が形成されているため、ブラケット部材２３０を左側ベース部材３１０に対して回動させることも可能である。
【００７０】
また、図３３に示すように、上述の設定変更装置２５０を、ブラケット部材２３０に取り付けるのではなく、ブラケット部材２３０の回動中心である回動軸２３１ｂ〜２３３ｂ（左側ベース部材２１０との係合部）の近傍位置である、筐体５の左側板５ａの上部に設けてもよい。または、図３４に示すように、筐体５の背板５ｅの上部に設定変更装置２５０を設けてもよい。このように設定変更装置２５０をブラケット部材２３０の回動中心の近傍位置に配設することにより、ブラケット２３０に取り付けられた主制御基板１１０と設定変更装置２５０とを接続するケーブルハーネスの取り回しが容易となる。
【００７１】
上述の実施形態では、ブラケット部材２３０の上方に延びる回動軸２３１ｂ〜２３３ｂを、左側ベース部材２１０（３１０）の下方に開口した軸挿入孔２１１ｂ〜２１３ｂに挿入して、ブラケット部材２３０を左側ベース部材２１０（３１０）に係合させる構成であるが、ブラケット部材２３０に下方に開口した軸挿入孔を形成し、左側ベース部材２１０（３１０）に上方に延びる回動軸を形成した構成であってもよい。このような構成であっても、上記構成と同様にブラケット部材２３０を左側ベース部材２１０（３１０）に取り付ける構成となり、上記構成と同様の効果を得ることができる。
【００７２】
上述の実施形態では、左側ベース部材２１０において、中ベース側係合部２１２のみにネジカバー２１５が挿入されて、中ベース側係合部２１２内のネジ挿通孔２１２ａを覆う構成となっているが、上ベース側係合部２１１にもネジカバー２１５を挿入して、上ベース側係合部２１１内のネジ挿通孔２１１ａを覆うように構成してもよい。なおこのとき、上ベース側係合部２１１内に２つの突起部２１６を形成しなくてもよい。このように２つのネジカバー２１５を用いてネジ挿通孔２１１ａ，２１２ａの両方を覆う構成とすれば、これらの挿通孔に取り付けられた取付ネジへの不正なアクセスをより一層防止することができる。また、１つのネジカバーによりネジ挿通孔２１１ａ，２１２ａの両方を一体に覆う構成としてもよい。
【００７３】
上述の実施形態では、設定変更装置２５０が、設定変更キーシリンダ２５１と、設定変更スイッチ２５２とを有して構成されているが、設定変更キーシリンダ２５１および設定変更スイッチ２５２のいずれか一方を備えた構成であればよい。その場合に、他方は前扉２の後面等、別の箇所に設定変更装置２５０とは別体に設ければよい。上述の実施形態では、スロットマシン１の設定値（遊技役の当選確率等）を表示する表示部１１６が主制御基板１１０上に設けられているが、この表示部は、主制御基板１１０上ではなく、設定変更装置２５０の近傍位置や前扉２の後面等に独立して設けてもよい。または、設定変更装置２５０に一体に当該表示部を設けてもよい。または、前扉２の前面に設けられた貯留枚数表示ランプ４６ｈもしくは払出数表示ランプ４６ｊを用いて上記設定値の表示を行ってもよく、その場合には当該表示部を別途設ける必要がない。
【００７４】
上述の実施形態では、主制御基板１１０を収容した基板ケース１２０の取付機構について説明したが、種々の演出制御を行う副制御基板を収容した基板ケースも、上記ケース取付機構２００と同様の構成の取付機構により取り付けられるようにしてもよい。上述の実施形態では、ブラケット部材２３０や設定変更装置２５０を固定するためにナイラッチ（登録商標）を用いているが、これに代えて、ニフラッチ（登録商標）やレバークリップ等を用いてもよい。
【００７５】
上述の実施形態において、本発明が適用される遊技機の一例として、遊技メダルを使用するスロットマシン（回胴式遊技機）を例示して説明したが、これに限定されるものではなく、例えば、パチンコ機、遊技球を使用する回胴式遊技機、雀球遊技機、アレンジボール機などの他の遊技機についても同様に適用し、同様の効果を得ることができる。
【符号の説明】
【００７６】
１  スロットマシン（遊技機）
５  筐体
１００  主制御装置
１１０  主制御基板（制御基板）
１２０  基板ケース
２００  基板ケース取付機構
２１０  左側ベース部材（ベース部材）
２１１〜２１３  ベース側係合部
２３０  ブラケット部材
２３１〜２３３  ブラケット側係合部
【図１】
2020192390.tif 000003
【図２】
2020192390.tif 000004
【図３】
2020192390.tif 000005
【図４】
2020192390.tif 000006
【図５】
2020192390.tif 000007
【図６】
2020192390.tif 000008
【図７】
2020192390.tif 000009
【図８】
2020192390.tif 000010
【図９】
2020192390.tif 000011
【図１０】
2020192390.tif 000012
【図１１】
2020192390.tif 000013
【図１２】
2020192390.tif 000014
【図１３】
2020192390.tif 000015
【図１４】
2020192390.tif 000016
【図１５】
2020192390.tif 000017
【図１６】
2020192390.tif 000018
【図１７】
2020192390.tif 000019
【図１８】
2020192390.tif 000020
【図１９】
2020192390.tif 000021
【図２０】
2020192390.tif 000022
【図２１】
2020192390.tif 000023
【図２２】
2020192390.tif 000024
【図２３】
2020192390.tif 000025
【図２４】
2020192390.tif 000026
【図２５】
2020192390.tif 000027
【図２６】
2020192390.tif 000028
【図２７】
2020192390.tif 000029
【図２８】
2020192390.tif 000030
【図２９】
2020192390.tif 000031
【図３０】
2020192390.tif 000032
【図３１】
2020192390.tif 000033
【図３２】
2020192390.tif 000034
【図３３】
2020192390.tif 000035
【図３４】
2020192390.tif 000036
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
所定部材と、遊技機に設けられた電気部品の作動を制御する制御基板と、前記制御基板を収容する基板ケースとを備える遊技機において、
ベース部材と、
ネジカバー部材と、
ブラケット部材と、
かしめ部材と、
ダミーかしめ部材とを有し、
前記ベース部材は、第１の軸挿入孔を備え、
前記ネジカバー部材は、前記ベース部材に取り付けられた際に前記第１の軸挿入孔と連通する第２の軸挿入孔を備え、
前記ブラケット部材は、回動軸を備え、
前記かしめ部材は、前記基板ケースを前記ブラケット部材から取り外すことができないように固定する係止部と、前記ブラケット部材に装着された際に前記ブラケット部材の外側に突出する所定部とを備え、
前記ダミーかしめ部材は、前記ブラケット部材から取り外すことができないように固定する係止部を有さず、前記ブラケット部材に装着された際に前記ブラケット部材の外側に突出する特定部を備え、
前記ベース部材は、第１の取付ネジと第２の取付ネジにより前記所定部材に固定され、
前記ネジカバー部材は、前記ベース部材に取り付けられた際に、前記第１の取付ネジの頭部及び、前記第２の取付ネジの頭部を覆うよう構成され、
前記ブラケット部材は、前記回動軸を前記第２の軸挿入孔、及び、前記第１の軸挿入孔に挿入することで回動可能となり、
前記制御基板を収容した前記基板ケースが前記ブラケット部材に取り付けられ、
前記基板ケースは前記ブラケット部材が回動することで、前記所定部材に近接する第１の位置と、前記基板ケースの裏面を視認可能な前記第１の位置から離れる方向に略９０度回動した第２の位置とになることが可能であり、
前記基板ケースが前記第１の位置にある状況において、前記ブラケット部材に装着された前記かしめ部材の前記所定部は、前記第１の取付ネジの頭部の鉛直上方に位置し、
前記基板ケースが前記第１の位置にある状況において、前記ブラケット部材に装着された前記ダミーかしめ部材の前記特定部は、前記第２の取付ネジの頭部の鉛直上方に位置し、
前記基板ケースが前記第２の位置にある状況において、前記ブラケット部材に装着された前記かしめ部材の前記所定部及び、前記ブラケット部材に装着された前記ダミーかしめ部材の前記特定部が前記回動軸の離脱方向への移動を制限して、前記回動軸が前記第１の軸挿入孔、及び、前記第２の軸挿入孔から抜けることを規制することを特徴とする遊技機。
【手続補正２】
【補正対象書類名】明細書
【補正対象項目名】０００７
【補正方法】変更
【補正の内容】
【０００７】
このような目的達成のため、本発明に係る遊技機は、所定部材と、遊技機に設けられた電気部品の作動を制御する制御基板と、前記制御基板を収容する基板ケースとを備える遊技機において、ベース部材と、ネジカバー部材と、ブラケット部材と、かしめ部材と、ダミーかしめ部材とを有し、前記ベース部材は、第１の軸挿入孔を備え、前記ネジカバー部材は、前記ベース部材に取り付けられた際に前記第１の軸挿入孔と連通する第２の軸挿入孔を備え、前記ブラケット部材は、回動軸を備え、前記かしめ部材は、前記基板ケースを前記ブラケット部材から取り外すことができないように固定する係止部と、前記ブラケット部材に装着された際に前記ブラケット部材の外側に突出する所定部とを備え、前記ダミーかしめ部材は、前記ブラケット部材から取り外すことができないように固定する係止部を有さず、前記ブラケット部材に装着された際に前記ブラケット部材の外側に突出する特定部を備え、前記ベース部材は、第１の取付ネジと第２の取付ネジにより前記所定部材に固定され、前記ネジカバー部材は、前記ベース部材に取り付けられた際に、前記第１の取付ネジの頭部及び、前記第２の取付ネジの頭部を覆うよう構成され、前記ブラケット部材は、前記回動軸を前記第２の軸挿入孔、及び、前記第１の軸挿入孔に挿入することで回動可能となり、前記制御基板を収容した前記基板ケースが前記ブラケット部材に取り付けられ、前記基板ケースは前記ブラケット部材が回動することで、前記所定部材に近接する第１の位置と、前記基板ケースの裏面を視認可能な前記第１の位置から離れる方向に略９０度回動した第２の位置とになることが可能であり、前記基板ケースが前記第１の位置にある状況において、前記ブラケット部材に装着された前記かしめ部材の前記所定部は、前記第１の取付ネジの頭部の鉛直上方に位置し、前記基板ケースが前記第１の位置にある状況において、前記ブラケット部材に装着された前記ダミーかしめ部材の前記特定部は、前記第２の取付ネジの頭部の鉛直上方に位置し、前記基板ケースが前記第２の位置にある状況において、前記ブラケット部材に装着された前記かしめ部材の前記所定部及び、前記ブラケット部材に装着された前記ダミーかしめ部材の前記特定部が前記回動軸の離脱方向への移動を制限して、前記回動軸が前記第１の軸挿入孔、及び、前記第２の軸挿入孔から抜けることを規制することを特徴とする。
また、本発明に係る遊技機の変更例として、本体部材（例えば、実施形態における筐体５）と、遊技機に設けられた電気部品の作動を制御する制御基板（例えば、実施形態における主制御基板１１０）と、前記制御基板を収容する基板ケース（例えば、実施形態における基板ケース１２０）とを備える。その上で、前記本体部材に固定されるベース部材（例えば、実施形態における左側ベース部材２１０）と、前記ベース部材に取り付けられるブラケット部材とを有し、前記制御基板を収容した前記基板ケースが前記ブラケット部材に取り付けられる。そして、前記ブラケット部材は、前記ブラケット部材のブラケット側係合部（例えば、実施形態におけるブラケット側係合部２３１〜２３３）を前記ベース部材のベース側係合部に挿入して上方にスライド移動させることにより前記ベース部材と係合された状態となり、その係合部を中心に前記ブラケット部材を前記ベース部材に対して左右方向に回動させることにより、前記ブラケット部材が前記ベース部材によって下方への移動が規制された状態で取り付けられるように構成されるようにすることができる。
【手続補正３】
【補正対象書類名】明細書
【補正対象項目名】０００８
【補正方法】変更
【補正の内容】
【０００８】
上記構成の本発明に係る遊技機の変更例によれば、デッドスペースが生じないように基板ケースを回動可能に取り付けることができる。
【手続補正４】
【補正対象書類名】明細書
【補正対象項目名】００５７
【補正方法】変更
【補正の内容】
【００５７】
ケースかしめ部材２４０，２４０′をブラケット部材２３０に装着した後に、図２０に示すように、主制御基板１１０をケース内部に収容した基板ケース１２０をブラケット部材２３０に取り付ける。基板ケース１２０の取り付けは、基板ケース１２０の右側部に設けられたケース取付突起１２９，１２９（図３を参照）を、ブラケット部材２３０のケース取付孔２３９，２３９（図１９を参照）に挿入し、それから基板ケース１２０の左部をブラケット部材２３０内に挿着する。すなわち、基板ケース１２０は、ブラケット部材２３０に対して基板ケース１２０の右側部を係合させ、その次に左側部を係合させることによりブラケット部材２３０に取り付けられる。このように基板ケース１２０をブラケット部材２３０に取り付けると、かしめ装着部２３５に装着したケースかしめ部材２４０の係止爪２４２ａが基板ケース１２０のカバー部１３５の内部に配置され、係止爪２４２ａが基板ケース１２０のケース取付部１２５（図３を参照）に係止される。そのため、カバー部１３５およびケース取付部１２５を破壊してケースかしめ部材２４０との係止状態を解除しない限り、基板ケース１２０をブラケット部材２３０から取り外すことができないように固定される。また、基板ケース１２０は、ブラケット部材２３０のケース係止爪２３４により係止される。